(57)【要約】【課題】電源コードの絶縁不良やコネクタの破損を防止し、信頼性を確保できる照明器具を提供することを目的とする。【解決手段】本発明は、器具取付面Ｃに設置された引掛けシーリングボディ５に電気的かつ機械的に接続されるアダプタ６と、このアダプタ６に取付けられ、光源２及びこの光源２を点灯する点灯装置３を有する本体１と、前記光源２及び点灯装置３を覆い、回動操作によって前記本体１に着脱可能に取付けられる透光性を有するセード４と、前記アダプタ６と点灯装置３との間を、一定以上の離脱方向の力が加わった場合に、連結が解除されるコネクタ３１、６４を介して電気的に接続する電源コード６３とを備える照明器具である。【選択図】図１
2011204547.tif 000002
【特許請求の範囲】
【請求項１】
器具取付面に設置された引掛けシーリングボディに電気的かつ機械的に接続されるアダプタと；
このアダプタに取付けられ、光源及びこの光源を点灯する点灯装置を有する本体と；
前記光源及び点灯装置を覆い、回動操作によって前記本体に着脱可能に取付けられる透光性を有するセードと；
前記アダプタと点灯装置との間を、一定以上の離脱方向の力が加わった場合に、連結が解除されるコネクタを介して電気的に接続する電源コードと；
を具備することを特徴とする照明器具。
【請求項２】
器具取付面に設置された引掛けシーリングボディに電気的かつ機械的に接続されるアダプタと；
このアダプタに取付けられ、光源及びこの光源を点灯する点灯装置を有する本体と；
前記光源及び点灯装置を覆い、回動操作によって前記本体に着脱可能に取付けられる透光性を有するセードと；
前記アダプタと点灯装置との間を電気的に接続する電源コードと；
この電源コードのアダプタ側に設けられ、電気的接続を保持しながら、本体の回転方向の動きに応じて回動可能なコネクタと；
を具備することを特徴とする照明器具。
【発明の詳細な説明】
【技術分野】
【０００１】
本発明は、天井面等に設置されて使用される照明器具に関する。
【背景技術】
【０００２】
従来、この種、照明器具においては、例えば、特許文献１及び特許文献２に示すように、天井等の器具取付面に設置された引掛けシーリングにアダプタが電気的かつ機械的に接続され、このアダプタに光源としての蛍光ランプを有する器具本体が取付けられるようになっている。また、アダプタには電源コードが接続されており、電源コードの先端部に設けられたコネクタが器具本体側に連結されようになっている。さらに、器具本体の下面側全体を覆うように透光性のセードが器具本体に着脱可能に設けられている。
【０００３】
このような構成の器具本体の背面側には、特許文献２に示すように、天井等の器具取付面と器具本体とを密着させる弾性部材（パッキン）が設けられており、この弾性部材によって器具本体は、器具取付面に対して固定状態が保持されている。
【先行技術文献】
【特許文献】
【０００４】
【特許文献１】特開２００１−６４２５号公報
【特許文献２】特開２００２−３３０１３号公報
【発明の概要】
【発明が解決しようとする課題】
【０００５】
しかしながら、上記従来の照明器具において、長期間の使用により弾性部材が劣化する可能性がある。この場合、例えば、ランプを交換する等のメンテナンスの場合に、セードを回動（図９参照）して器具本体から取り外すが、このとき、弾性部材の劣化により器具本体の器具取付面への固定状態が保持されず、セードの回動とともに器具本体も回動してしまうという現象が生じる。
【０００６】
このようにセードの回動とともに器具本体も回動してしまうと、固定状態のアダプタに対し器具本体が回動することとなり、これらの間を接続している電源コードが捻れ、これが過度になると電源コードの絶縁不良やコネクタの破損を招く虞を生じる。
本発明は、上記課題に鑑みなされたもので、電源コードの絶縁不良やコネクタの破損を防止し、信頼性を確保できる照明器具を提供することを目的とする。
【課題を解決するための手段】
【０００７】
請求項１に記載の照明器具は、器具取付面に設置された引掛けシーリングボディに電気的かつ機械的に接続されるアダプタと；このアダプタに取付けられ、光源及びこの光源を点灯する点灯装置を有する本体と；前記光源及び点灯装置を覆い、回動操作によって前記本体に着脱可能に取付けられる透光性を有するセードと；前記アダプタと点灯装置との間を、一定以上の離脱方向の力が加わった場合に、連結が解除されるコネクタを介して電気的に接続する電源コードと；を具備することを特徴とする。
本発明及び以下の発明において、特に指定しない限り用語の技術的意味及び解釈は次による。
【０００８】
器具取付面とは、天井面等の引掛けシーリングボディが取付けられた面をいう。光源には、例えば、環形蛍光ランプが適用できる。また、ＬＥＤを用いるものであってもよい。
【０００９】
点灯装置は、例えば、光源として蛍光ランプを用いる場合には、高周波点灯用のインバータ回路によって構成できる。また、セードは、光の拡散性を有する例えば、乳白等に形成するのが好ましい。
この発明により、コネクタに一定以上の離脱方向の力が加わった場合に、その連結が解除されるので、電源コードの絶縁不良やコネクタの破損を防止できる。
【００１０】
請求項２に記載の照明器具は、器具取付面に設置された引掛けシーリングボディに電気的かつ機械的に接続されるアダプタと；このアダプタに取付けられ、光源及びこの光源を点灯する点灯装置を有する本体と；前記光源及び点灯装置を覆い、回動操作によって前記本体に着脱可能に取付けられる透光性を有するセードと；前記アダプタと点灯装置との間を電気的に接続する電源コードと；この電源コードのアダプタ側に設けられ、電気的接続を保持しながら、本体の回転方向の動きに応じて回動可能なコネクタと；を具備することを特徴とする。
【００１１】
コネクタには、例えば、スリップリング形式のものが適用できる。この発明により、本体の回転方向の動きに応じてコネクタが回動するので、電源コードの捻れを回避し、電源コードの絶縁不良やコネクタの破損を防止できる。  
【発明の効果】
【００１２】
請求項１に記載の発明によれば、コネクタに一定以上の離脱方向の力が加わった場合に、その連結が解除されるので、電源コードの絶縁不良やコネクタの破損を防止し、信頼性を確保できる照明器具を提供することができる。
【００１３】
請求項２に記載の発明によれば、本体の回転方向の動きに応じてコネクタが回動可能であり、電源コードの捻れを回避し、電源コードの絶縁不良やコネクタの破損を防止でき、信頼性を確保できる照明器具を提供することができる。
【図面の簡単な説明】
【００１４】
【図１】本発明の第１の実施形態に係る照明器具の一部を断面で示し、器具本体とアダプタの位置関係を示す側面図である。
【図２】同照明装器具において、セードを取外して下方側から見て示す平面図である。
【図３】同引掛けシーリングボディとアダプタを示す斜視図である。
【図４】同給電コネクタと受電コネクタを示す斜視図である。
【図５】同給電コネクタと受電コネクタを示す側面図である。
【図６】同給電コネクタと受電コネクタを示し、動作の一例を説明する斜視図である。
【図７】本発明の第２の実施形態に係る給電コネクタと受電コネクタを示す斜視図である。
【図８】本発明の第３の実施形態に係るコネクタの一部を断面で示す側面図である。
【図９】セードを回動して着脱操作する場合を示す説明図である。
【発明を実施するための形態】
【００１５】
以下、本発明の第１の実施形態について図１乃至図６を参照して説明する。なお、各図において同一部分には同一符号を付し重複した説明は省略する。
【００１６】
図１乃至図３に示すように、照明器具は、器具本体１と、この器具本体１に設けられた光源としての環形蛍光ランプ２及び点灯装置３と、これら環形蛍光ランプ２及び点灯装置３を覆い器具本体１に取付けられた透光性のセード４と、器具取付面としての天井面Ｃに設置された引掛けシーリングボディ５に取付けられるアダプタ６とを備えている。なお、図２においては、環形蛍光ランプ２と点灯装置３との配線関係の図示は省略している。
【００１７】
器具本体１は、板金製であり円盤状に形成され、中央部にはアダプタ６が挿通する開口部１１が形成されている。また、内側の周縁部には、セード４の回動により、セード４が着脱可能なようにセード４の係止部１２が３個所に設けられている（図２参照）。さらに、器具本体１の背面側には弾性部材１３が取付けられており、前面側は白色の塗装が施されて反射面が形成されている。
【００１８】
環形蛍光ランプ２は、例えば、２０Ｗと３４Ｗであり、器具本体１の内側に設けられたランプホルダ２１に支持されるようになっている。また、点灯装置３の近傍には、常夜灯７が装着されている。この常夜灯７は、点灯装置３に設けられた制御手段によって明るさが任意に可変できるようになっている。
【００１９】
なお、常夜灯７は、その点灯時の状態に応じて自動的に明るさが可変されるように構成してもよい。例えば、点灯初期は、設定された明るさで点灯し、時間の経過とともに出力を下げて明るさを低減させるようにすることができる。
【００２０】
また、点灯初期から、暗順応曲線に近似した曲線又は直線の軌跡を辿るように出力を低減させるようにしてもよい。このように構成することにより、点灯初期の暗さに目が順応するまで明るさを確保することが可能となる。
【００２１】
さらに、点灯前の状態によって明るさの設定が可変されるように構成してもよい。例えば、常夜灯７の点灯前に蛍光ランプ２（主照明）が点灯されていた場合には、初期に高出力で明るく常夜灯７を点灯させ、常夜灯７の点灯前に蛍光ランプ２（主照明）が消灯されていた場合には、初期には低出力で明るさを低減して常夜灯７を点灯させるようにすることができる。
【００２２】
さらにまた、蛍光ランプ２（主照明）の不点などの状況に応じて、常夜灯７の点灯状態を変えるように構成してもよい。例えば、蛍光ランプ２が不点になった場合に常夜灯７が点灯し、寿命末期になった場合に常夜灯７が点滅する等の点灯状態の可変である。この構成により、蛍光ランプ２の不点状況などが容易に把握することができる。
【００２３】
点灯装置３は、環形蛍光ランプ２の点灯を制御するもので、高周波点灯用のインバータ回路によって構成されており、スイッチングトランジスタ、チョークコイルやコンデンサ等の回路部品が実装された回路基板を有し、箱状のケースに収容されている。また、点灯装置３には、後述する電源コードが接続される受電コネクタ３１が設けられている。
【００２４】
透光性のセード４は、器具本体１の下面側全面を覆うように器具本体１に着脱可能に取付けられている。セード４は、アクリル樹脂製であり、拡散性を有するように乳白に形成されている。セード４を回動することにより、器具本体１の係止部１２にセード４の開口縁部が係止され、また、逆方向に回動することにより、その係止が解かれるようになっている（図９参照）。
【００２５】
また、セード４の側周の表面及び裏面には、シルク印刷４１、４２が施されている。この形成について説明すると、まず、セード４の成形にあたって、その材料であるアクリル樹脂製のシートは、表面側がマット面となっている。そして、この表面側と裏面側にシルク印刷を施す。表面側は、デザイン性の高い印刷４１とし、裏面側は、光の透過をある程度抑制する例えば、白色や銀色の濃いカラー印刷４２とする。その後、所定の形状に圧空成形する。この場合、表面側は、マット面のため、圧空成形によって細かい穴（ピンホール）が発生する。仮に、裏面側に光の透過を抑制する印刷を施さない場合には、蛍光ランプ２からの光がピンホールを透過して漏れ、表面側のシルク印刷４１のデザイン性を阻害することになる。
【００２６】
本実施形態においては、裏面側に光の透過を抑制する印刷４２が施されているので、表面側のシルク印刷４１のデザイン性を阻害することがない。したがって、セード４の側周に、別部材で飾り枠等を設けることなく、デザイン性に優れた照明器具を提供できる。
【００２７】
なお、上記とは反対に圧空成形によって形成されるピンホールを利用することもできる。つまり、裏面側に光を透過するカラー印刷を施すことによって、多数のピンホールから漏れる光を一種の模様のような態様で表わすことができる。これにより、多数のピンホールから漏れる光を背景として表面側のシルク印刷のデザイン性を向上できる効果を奏する。
【００２８】
アダプタ６は、図１及び図３に代表して示すように、天井面Ｃに設置された引掛けシーリングボディ５に、上面側に設けられた引掛刃６５によって電気的かつ機械的に接続されるもので、略円筒状をなし、周壁の両側には一対の係止部６１が内蔵されたスプリングによって常時外周側へ突出するように設けられている。この係止部６１は、下面側に突出した一対のレバー６２を外側へ広げるように操作することにより没入するようになっている。また、下面側の中央部からは、点灯装置３へ接続する電源コード６３が導出されている。この電源コード６３の先端部には、給電端子が内設された給電コネクタ６４が設けられている。
【００２９】
図４及び図５に示すように、給電コネクタ６４は、直方体形状の本体６４ａと、この本体６４ａから前方に突出した挿入部６４ｂと、本体６４ａの図示上、上面側に形成された係止爪６４ｃとを備えている。挿入部６４ｂは、受電コネクタ３１に差し込まれる部分であり、係止爪６４ｃは、受電コネクタ３１に係止して連結状態を保持する機能を有する部分である。係止爪６４ｃは、摘み部６４ｄ及び爪部６４ｅ有しており、本体６４ａに対して上下方向に弾性変形可能に設けられている。ここで、爪部６４ｅは、実質的に連結状態の保持に機能する内側が傾斜状に形成された傾斜部６４ｆを有している。
【００３０】
一方、点灯装置３側に設けられた受電コネクタ３１は、点灯装置３のケースから突出するように設けられている。受電コネクタ３１は、前記挿入部６４ｂが差し込まれる被挿入部３１ａと、図示上、上面側に形成された係止壁３１ｂとを備えている。係止壁３１ｂは、爪部６４ｅが係止されて連結される部分であり、爪部６４ｅの傾斜部６４ｆに対応して傾斜状に形成された傾斜部３１ｃを有している（図５参照）。
【００３１】
次に、上記のように構成された照明器具の天井面Ｃへの取付状態について説明する。まず、図３に示すように、天井面Ｃに設置された引掛けシーリングボディ５に、図１に示すアダプタ６の引掛刃６５を挿入し回動して固定する。次いで、器具本体１の開口部１１をアダプタ６の位置に合わせ、器具本体１を押し上げる。すると、アダプタ６の係止部６１が器具本体１の開口部１１の縁部に係合して器具本体１は、アダプタ６に取付けられる。
【００３２】
このとき、弾性部材１３が天井面Ｃと器具本体１の背面側との間に密着状態で介在され、器具本体１は、天井面Ｃに固定状態となる（図９参照）。次に、給電コネクタ６４を受電コネクタ３１に接続する。この接続にあたっては、係止爪６４ｃが上側へ弾性変形し、その爪部６４ｅの傾斜部６４ｆが係止壁３１ｂの傾斜部３１ｃに係止されるようになる。
続いて、蛍光ランプ２を装着し、セード４を器具本体１の係止部１２に係止されるように位置させて、回動し取付ける。
【００３３】
このような取付状態において、ランプ２を交換する等の場合、図９に示すように、セード４を回動して器具本体１から取り外す。この場合、例えば、弾性部材１３が劣化して、天井面Ｃと器具本体１の背面側との間に密着性が弱まった状態で介在していると、セード４の回動とともに器具本体１も回動してしまうという現象が生じる。つまり、図２に示すように、アダプタ６は固定状態にあるのに対し、器具本体１が回動してしまうと、アダプタ６と点灯装置３との間を接続している電源コード６３が、器具本体１の回動に伴い、アダプタ６との接続部を中心に回動し、捻れてしまうこととなる。そして、これが繰り返されると、電源コード６３の絶縁不良やコネクタ３１、６４の破損を招来する。
【００３４】
本実施形態においては、給電コネクタ６４と受電コネクタ３１との連結は、係止爪６４ｃの傾斜部６４ｆと係止壁３１ｂの傾斜部３１ｃによって行われている。この構成により、給電コネクタ６４と受電コネクタ３１との連結部に一定以上の離脱方向の力が加わった場合には、連結が解除、つまり、給電コネクタ６４が受電コネクタ３１から外れるようになっている。換言すれば、給電コネクタ６４と受電コネクタ３１との連結は、電源コード６３の絶縁不良やコネクタ３１、６４の破損が生じる前に解除されるように、緩和された状態の連結となっている。
【００３５】
加えて、電源コード６３は、アダプタ６の中央部から導出されているので、アダプタ６の周縁部から導出される場合に比し、給電コネクタ６４と受電コネクタ３１とを離脱方向に作用する力の方向が一定化され、連結の解除動作の安定化を図ることができる。
【００３６】
また、図６に示すような動作を行うように設計することもできる。すなわち、給電コネクタ６４と受電コネクタ３１とが連結されている状態において、電源コード６３が、器具本体１の回動に伴い、アダプタ６との接続部を中心に回動し捻れると、この電源コード６３の捻れによって、電源コード６３が係止爪６４ｃの摘み部６４ｄ付近を押圧し（図示Ａ方向）、爪部６４ｅの係止壁３１ｂへの係止が解かれるように作用する。さらに、器具本体１が回動されると、給電コネクタ６４に離脱方向（図示Ｂ方向）の力が加わり、連結が解除、つまり、給電コネクタ６４が受電コネクタ３１から外れるようになる。
【００３７】
以上のように本実施形態によれば、電源コード６３の絶縁不良やコネクタ３１、６４の破損を防止し、信頼性を確保できる照明器具を提供することが可能となる。
次に、本発明の第２の実施形態について図７を参照して説明する。なお、第１の実施形態と同一又は相当部分には同一符号を付し重複した説明は省略する。
【００３８】
本実施形態では、給電コネクタ６４０と受電コネクタ３１０とをマグネットプラグ形式で構成したものである。給電コネクタ６４０は、コネクタケース６４１と、このコネクタケース６４１に設けられた鉄片６４２及び給電端子が設けられている接点凹部６４３とを備えている。鉄片６４２は、磁石によって磁気を帯びるようになっている。
受電コネクタ３１０は、点灯装置３側に設けられおり、中央部に鉄片３１１が設けられ、その両側に受電端子ピン３１２が突設されている。
【００３９】
このように構成されたコネクタ６４０、３１０は、給電コネクタ６４０の鉄片６４２と受電コネクタ３１０の鉄片３１１とが磁力により吸着することによって連結され、接点凹部６４３に受電端子ピン３１２が挿入されて電気的接続がなされる。また、給電コネクタ６４０と受電コネクタ３１０との連結部、すなわち、吸着部に一定以上の離脱方向の力が加わった場合には、連結が解除され、給電コネクタ６４０が受電コネクタ３１０から外れるようになっている。
【００４０】
以上のように本実施形態によれば、簡単な構成により、第１の実施形態と同様に、電源コード６３の絶縁不良やコネクタ３１０、６４０の破損を防止し、信頼性を確保できる照明器具を提供することができる。
なお、受電コネクタ３１０及び給電コネクタ６４の連結構造をアダプタ６側に設けるようにしてもよい。この場合も、上記と同様な効果を奏することができる。
次に、本発明の第３の実施形態について図８を参照して説明する。なお、第１の実施形態と同一又は相当部分には同一符号を付し重複した説明は省略する。
【００４１】
本実施形態では、電源コード６３のアダプタ６側との接続部にスリップリング形式の回転式コネクタ８を設けたものである。この回転式コネクタ８は、固定部８１と、回転部８２とを備えている。固定部８１は、略円筒状をなし、第１のばね端子８１ａ及び第２のばね端子８１ｂを有してアダプタ６に取付けられている。これら第１のばね端子８１ａ及び第２のばね端子８１ｂは、リード線を介して引掛刃６５に接続されている。
【００４２】
回転部８２は、固定部８１に対して回転自在となるように、固定部８１が係合する環状溝８２ｃを有している。また、リング状の第１の導電端子８２ａ及び第２の導電端子８２ｂが設けられており、これらには、前記第１のばね端子８１ａ及び第２のばね端子８１ｂが所定の弾性力をもって接触するようになっている。
【００４３】
このような構成によれば、器具本体１が回動しても、この回動とともに電源コード６３、すなわち、回転部８２が回動することとなり、電源コード６３が捻れることが回避できる。また、第１の導電端子８２ａ及び第２の導電端子８２ｂの回動によっても第１のばね端子８１ａ及び第２のばね端子８１ｂの接触、つまり、電気的接続は保持される。
【００４４】
以上のように、回転式コネクタ８は、電源コード６３の電気的接続を保持しながら、器具本体１の回転方向の動きに応じて回動することが可能であり、第１の実施形態と同様に、電源コード６３の絶縁不良やコネクタ３１、６４の破損を防止し、信頼性を確保できる照明器具を提供することができる。
なお、本発明は、上記実施形態の構成に限定されることなく、発明の要旨を逸脱しない範囲で種々の変形が可能である。
【符号の説明】
【００４５】
１・・・器具本体、２・・・光源（環形蛍光ランプ）、
３・・・点灯装置、４・・・セード、５・・・引掛けシーリングボディ、
６・・・アダプタ、８・・・コネクタ、３１・・・受電コネクタ、
６３・・・電源コード、６４・・・給電コネクタ、Ｃ・・・器具取付面（天井面）
【図１】
2011204547.tif 000003
【図２】
2011204547.tif 000004
【図３】
2011204547.tif 000005
【図４】
2011204547.tif 000006
【図５】
2011204547.tif 000007
【図６】
2011204547.tif 000008
【図７】
2011204547.tif 000009
【図８】
2011204547.tif 000010
【図９】
2011204547.tif 000011